(57)【要約】【課題】視聴中であったチャンネルに関する受信状況等をユーザに報知するとともに、他のチャンネルの放送受信状況を検出しユーザに報知する。【解決手段】    現在受信中の物理チャンネルの周波数をチューナ２１に設定し、当該物理チャンネルが受信可能（選局可能）であるか否かを判断する。受信劣化していると判断する場合、チャンネルリストを参照し、他の物理チャンネルの放送休止フラグ領域６１及び圏外フラグ領域６２のフラグ情報を取得する。次いで、ＲＯＭ２及び／又はフラッシュメモリ４に記憶されている案内画像データを読み出し、表示部２５上に圏外である旨の案内画面及びチャンネルリスト１２に登録されている全ての物理チャンネルに関する受信状態を案内する画面を表示する。【選択図】図６
2007266727.tif 000002
【特許請求の範囲】
【請求項１】
選局可能な複数の放送波をチャンネルリストとして記憶する記憶手段と、
この記憶手段に記憶されたチャンネルリストのいずれかのチャンネルを選択することにより、放送波を受信する受信手段と、
この受信手段による放送波の受信中に、当該放送波の受信の劣化を判断する受信劣化判断手段と、
この受信劣化判断手段により前記受信が劣化していると判断すると、前記チャンネルリストにある他のチャンネルについての受信状態を判断する受信状態判断手段と、
この受信状態判断手段により判断された結果を、前記チャンネルリストと対応付けて前記記憶手段に記憶するよう制御する記憶制御手段と、
前記受信状態判断手段による受信状態の判断が終了すると、前記受信手段によって受信されていたチャンネルに復帰する復帰手段と、
この復帰手段により復帰したときに、前記記憶制御手段によって記憶された他のチャンネルの受信状態を表示する表示手段と、
を備えたことを特徴とする放送受信装置。
【請求項２】
前記受信状態判断手段は、前記チャンネルの受信が可能であるか否かを判断する第１の判断手段と、
前記第１の判断手段により前記チャンネルでの受信が可能である場合、受信した放送波からＮＩＴ（Network Information Table）及び／又はＰＭＴ（Program Packet Table）データを取得することができるか否かを判断する第２の判断手段と、を更に備えることを特徴とする請求項１に記載の放送受信装置。
【請求項３】
前記記憶制御手段は前記第１の判断手段または第２の判断手段による判断結果を前記記憶手段に記憶するよう制御し、
前記表示手段は、前記記憶制御手段によって記憶された判断結果を反映させた表示を行うことを特徴とする請求項２に記載の放送受信装置。
【請求項４】
前記表示手段は、前記復帰手段による前記受信手段によって受信されていたチャンネルでの放送の受信が不可能であるときに前記表示手段による表示を行うことを特徴とする請求項１から３のいずれか一項に記載の放送受信装置。
【請求項５】
電子番組表を取得する電子番組表取得手段を更に備え、
前記表示手段は、前記第２の判断手段による判断結果に基づいて、前記電子番組表から前記他のチャンネルに対応する番組表を更に表示することを特徴とする請求項２から４のいずれか一項に記載の放送受信装置。
【請求項６】
前記受信劣化判断手段による放送波の受信劣化はＢＥＲ(Bit Error rate)、ＰＥＲ（Packet Error Rate）、ＲＳＳＩ（Received Signal Strength Indicator）、Ｃ／Ｎ（Carrier to Noise Ratio）比の何れか１つで判断することを特徴とする請求項１から５のいずれか一項に記載の放送受信装置。
【請求項７】
選局可能な複数の放送波をチャンネルリストとして記憶する記憶ステップと、
この記憶ステップで記憶されたチャンネルリストのいずれかのチャンネルを選択することにより、放送波を受信する受信ステップと、
この受信ステップによる放送波の受信中に、当該放送波の受信の劣化を判断する受信劣化判断ステップと、
この受信劣化判断ステップにより前記受信が劣化していると判断すると、前記チャンネルリストにある他のチャンネルについての受信状態を判断する受信状態判断ステップと、
この受信状態判断ステップにより判断された結果を、前記チャンネルリストと対応付けて記憶する記憶制御ステップと、
前記受信状態判断ステップによる受信状態の判断が終了すると、前記受信ステップで受信されていたチャンネルに復帰する復帰ステップと、
この復帰ステップにより復帰したときに、前記記憶制御ステップで記憶された他のチャンネルの受信状態を表示する表示ステップと、
を含むことを特徴とする放送受信方法。
【請求項８】
コンピュータを、
選局可能な複数の放送波をチャンネルリストとして記憶する記憶手段、
この記憶手段によって記憶されたチャンネルリストのいずれかのチャンネルを選択することにより、放送波を受信する受信手段、
この受信手段による放送波の受信中に、当該放送波の受信の劣化を判断する受信劣化判断手段、
この受信劣化判断手段により前記受信が劣化していると判断すると、前記チャンネルリストにある他のチャンネルについての受信状態を判断する受信状態判断手段、
この受信状態判断手段により判断された結果を、前記チャンネルリストと対応付けて記憶する記憶制御手段、
前記受信状態判断手段による受信状態の判断が終了すると、前記受信手段によって受信されていたチャンネルに復帰する復帰手段、
この復帰手段により復帰したときに、前記記憶制御手段によって記憶された他のチャンネルの受信状態を表示する表示手段、
として機能させることを特徴とする放送受信プログラム。
【発明の詳細な説明】
【技術分野】
【０００１】
本発明は、テレビジョン放送の受信状態の劣化に際して各チャンネルの受信状態を表示装置上に表示する放送受信装置、放送受信方法及び放送受信プログラムに関する。
【背景技術】
【０００２】
地上波デジタル放送の開始により、携帯電話機、ノート型ＰＣ（パーソナルコンピュータ）、ＰＤＡ（Personal Digital Assistants）等のいわゆるモバイル端末でのデジタルテレビジョン放送の受像に関する種々の研究開発が行われている。特に、地上波デジタル放送はモバイル端末等の移動体での受像にも好適であるという特徴がある。即ち、従来から普及しているアナログによるテレビジョン放送は、アナログ放送電波に特有の周辺環境から影響を受けやすいという性質により、特に、移動体での放送受像には不利であるという問題があった。これに対しデジタルによるテレビジョン放送は、デジタル信号を多重化した放送電波であるため、周辺環境からの影響により電波に強弱は生ずるものの、信号情報は原則として多値化されたデジタルデータであるため、電波の受信さえできれば映像や音声に与える影響は軽微であるという優れた特性がある。
【０００３】
このようにデジタルテレビジョン放送の受像はアナログによるテレビジョン放送の受像に比して優れた特性を有するのであるが、アナログテレビジョン放送によりテレビジョン放送の受像を可能とする電気・電子機器とは実用上で使い勝手が異なる部分が少なからずあるという問題がある。デジタルテレビジョン放送もその放送の受像において万能であるというわけではなく、デジタルテレビジョン放送電波の送信可能領域は限られている。したがって、電波が届かないあるいは届いたとしても著しく微弱であったり、ノイズが混入したりすると好適な映像／音声の出力が困難になるという問題がある。このような場合、アナログによるテレビジョン放送であれば、モニタ上の映像に徐々にノイズが混入し（いわゆる砂嵐）、ユーザが電波の受信状態が悪いことを瞬時に認識することができる。これに対してデジタルによるテレビジョン放送を受像可能とする電気・電子機器では、電波の受信状況が劣化し、もはや映像／音声の出力が困難となると、モニタ上での映像出力を停止して黒画面を表示し続けるという特有の機能を有する。即ち、ユーザは放送電波の劣化を時系列的に把握することができず、突然映像／音声の出力停止に直面し、一見すると電気・電子機器の故障であるのか受信状況が悪化したのかが理解することができないという問題がある。
【０００４】
このようなアナログとデジタルとの差異に鑑み、特許文献１には、デジタルテレビジョン放送を選局可能とする放送受信装置であって、放送電波のエラーを検出するエラー訂正部と、このエラー訂正部によるエラー検出により放送電波の受像が困難であると判断する場合、ユーザに受信が困難である旨の報知を行うとともに、当該受信状況の劣化が放送事業者が放送を休止しているのか否かを報知する放送受信装置に関する発明が開示されている。
【特許文献１】特開２００３−３４８４６６号公報
【発明の開示】
【発明が解決しようとする課題】
【０００５】
しかしながら、特許文献１に開示される発明は、視聴中であったチャンネルに関する受信状況等をユーザに報知することができるに過ぎないものである。このためユーザはこのような報知を受けた後は、チャンネル切り替えスイッチ等を操作して受信可能なチャンネルを逐次サーチしなければならず不便である。
【０００６】
そこで、本発明の目的は、視聴中であったチャンネルに関する受信状況等をユーザに報知するとともに、他のチャンネルの放送受信状況を検出し、その検出により得られた情報に基づいて他のチャンネルの受信状態をユーザに通知し、ユーザが他のチャンネルの受信状況を瞬時に把握できるようにすることである。
【課題を解決するための手段】
【０００７】
上記課題を解決するため、請求項１に記載の発明は、放送受信装置であって、選局可能な複数の放送波をチャンネルリストとして記憶する記憶手段と、この記憶手段に記憶されたチャンネルリストのいずれかのチャンネルを選択することにより、放送波を受信する受信手段と、この受信手段による放送波の受信中に、当該放送波の受信の劣化を判断する受信劣化判断手段と、この受信劣化判断手段により前記受信が劣化していると判断すると、前記チャンネルリストにある他のチャンネルについての受信状態を判断する受信状態判断手段と、この受信状態判断手段により判断された結果を、前記チャンネルリストと対応付けて前記記憶手段に記憶するよう制御する記憶制御手段と、前記受信状態判断手段による受信状態の判断が終了すると、前記受信手段によって受信されていたチャンネルに復帰する復帰手段と、この復帰手段により復帰したときに、前記記憶制御手段によって記憶された他のチャンネルの受信状態を表示する表示手段と、を備えたことを特徴とする。
【０００８】
請求項２に記載の発明は、請求項１記載の発明において、前記受信状態判断手段は、前記チャンネルの受信が可能であるか否かを判断する第１の判断手段と、前記第１の判断手段により前記チャンネルでの受信が可能である場合、受信した放送波からＮＩＴ（Network Information Table）及び／又はＰＭＴ（Program Packet Table）データを取得することができるか否かを判断する第２の判断手段と、を更に備えることを特徴とする。
【０００９】
請求項３に記載の発明は、請求項２記載の発明において、前記記憶制御手段は前記第１の判断手段または第２の判断手段による判断結果を前記記憶手段に記憶するよう制御し、前記表示手段は、前記記憶制御手段によって記憶された判断結果を反映させた表示を行うことを特徴とする。
【００１０】
請求項４に記載の発明は、請求項１から３のいずれか一項に記載の発明において、前記表示手段は、前記復帰手段による前記受信手段によって受信されていたチャンネルでの放送の受信が不可能であるときに前記表示手段による表示を行うことを特徴とする。
【００１１】
請求項５に記載の発明は、請求項２から４のいずれか一項に記載の発明において、電子番組表を取得する電子番組表取得手段を更に備え、前記表示手段は、前記第２の判断手段による判断結果に基づいて、前記電子番組表から前記他のチャンネルに対応する番組表を更に表示することを特徴とする。
【００１２】
請求項６に記載の発明は、請求項１から５のいずれか一項に記載の発明において、前記受信劣化判断手段による放送波の受信劣化はＢＥＲ(Bit Error rate）、ＰＥＲ（Packet Error Rate）、ＲＳＳＩ（Received Signal Strength Indicator）又はC/N比の何れか１つで判断することを特徴とする。
【００１３】
請求項７記載の発明は、放送受信方法であって、選局可能な複数の放送波をチャンネルリストとして記憶する記憶ステップと、この記憶ステップで記憶されたチャンネルリストのいずれかのチャンネルを選択することにより、放送波を受信する受信ステップと、この受信ステップによる放送波の受信中に、当該放送波の受信の劣化を判断する受信劣化判断ステップと、この受信劣化判断ステップにより前記受信が劣化していると判断すると、前記チャンネルリストにある他のチャンネルについての受信状態を判断する受信状態判断ステップと、この受信状態判断ステップにより判断された結果を、前記チャンネルリストと対応付けて記憶する記憶制御ステップと、前記受信状態判断ステップによる受信状態の判断が終了すると、前記受信ステップで受信されていたチャンネルに復帰する復帰ステップと、この復帰ステップにより復帰したときに、前記記憶制御ステップで記憶された他のチャンネルの受信状態を表示する表示ステップと、を含むことを特徴とする。
【００１４】
請求項８記載の発明は、放送受信プログラムであって、コンピュータを、選局可能な複数の放送波をチャンネルリストとして記憶する記憶手段、この記憶手段によって記憶されたチャンネルリストのいずれかのチャンネルを選択することにより、放送波を受信する受信手段、この受信手段による放送波の受信中に、当該放送波の受信の劣化を判断する受信劣化判断手段、この受信劣化判断手段により前記受信が劣化していると判断すると、前記チャンネルリストにある他のチャンネルについての受信状態を判断する受信状態判断手段、この受信状態判断手段により判断された結果を、前記チャンネルリストと対応付けて記憶する記憶制御手段、前記受信状態判断手段による受信状態の判断が終了すると、前記受信手段によって受信されていたチャンネルに復帰する復帰手段、この復帰手段により復帰したときに、前記記憶制御手段によって記憶された他のチャンネルの受信状態を表示する表示手段、として機能させることを特徴とする。
【発明の効果】
【００１５】
記憶手段に記憶された選局可能なチャンネルリストのいずれかのチャンネルを選択することにより、放送波を受信している際に、受信劣化判断手段により当該放送波の受信の劣化を判断し、この判断が放送波の劣化を判断すると、受信状態判断手段がチャンネルリストにある他のチャンネルについての受信状態を判断して表示手段上に受信状態を表示するため、ユーザは視聴中のチャンネルの受信状況が悪化しても、正常に受信されているチャンネルを簡便に知ることができる。また、視聴中のチャンネル以外の放送受信状態を表示することで、映像の乱れ等が放送受信装置の故障等でないことを即座に知ることができ不安を、和らげることができる。
【発明を実施するための最良の形態】
【００１６】
図１に、第１の実施形態における携帯電話機１００の機能的構成を示す。携帯電話機１００は、制御部１、ＲＯＭ２、ＲＡＭ３、フラッシュメモリ４、入力部５、テレビ用アンテナ２４、テレビチューナモジュール２０、映像信号処理部３０、表示部２５、音声出力部４０、スピーカ４３Ｌ、４３Ｒ、通信制御部６、無線部７、送話部８、受話部９、アンテナ１０、充電池４５及びアドレス・データバス処理部５０から構成され、これらがバス５１を介して電気・電子的に接続されている。
【００１７】
制御部１は、ＲＯＭ２やフラッシュメモリ４に記憶されたオペレーションプログラムや各種のプリケーションプログラムを読み出し、ワークエリアとしてのＲＡＭ３上に展開して携帯電話機１００の全体制御を行う。制御部１から各機能部に送信する制御信号や各機能部から制御部１又は他の機能部に送信されるデータ等は、バス５１を介してアドレス・データバス処理部５０により監視され、制御部１及び他の機能部において所定の処理が実行される。特に、第１の実施形態では、プログラムとの協働によりテレビジョン放送電波の受信状況に基づいて当該放送の停波状態（放送休止状態）や放送の圏外である状態を自動的に判断し、その判断結果を表示部２５に表示してユーザに報知する処理を実行することを特徴とする。
【００１８】
フラッシュメモリ４は、不揮発性の半導体素子から構成される内部記憶装置である。テレビジョン放送の録画時には、制御部１の指示に基づき映像信号処理部３０から送信されるテレビジョン放送データを記録するものである。
また、フラッシュメモリ４には、電子番組表としてのＥＰＧデータ１１及びテレビジョン放送の選局を行う際に使用するチャンネルリスト１２が記憶されている。
【００１９】
ＥＰＧデータ１１は、無線部７及び通信制御部６によりネットワーク（不図示）を介してダウンロードしたテレビジョン放送のスケジュールを示した一覧であり、例えば、放送の日時、チャンネル、番組名、ジャンル等が記録されたデータである。なお、ＥＰＧはテレビジョン放送の搬送波に含まれるＥＰＧデータから取得する構成としてもよい。
【００２０】
チャンネルリスト１２は、チャンネルと物理チャンネルの対応関係及びこれらチャンネルと入力部５の各キーとの対応等を定義したデータテーブルである。図２に、チャンネルリスト１２の例を示す。チャンネルリストは、リモコンＩＤ記録領域６０ａ、チャンネル記録領域６０ｂ、放送事業者名記録領域６０ｃ、ネットワークＩＤ記録領域６０ｄ、物理チャンネル記録領域６０ｅ、放送休止フラグ領域６１及び圏外フラグ領域６２とから構成される。
【００２１】
リモコンＩＤ記録領域６０ａは、入力部５のダイヤルキー等に割当てられているＩＤを記録する領域である。チャンネル記録領域６０ｂは、各放送周波数帯を示すチャンネルの番号を記録する領域である。放送事業者名記録領域６０ｃは各チャンネル毎の放送事業者の名称を記録する領域である。ネットワークＩＤ記録領域６０ｄは、ＮＩＴ（Network Information Table）を記録する領域である。ＮＩＴとは、変調周波数その他伝送路の情報と放送番組を関連付ける情報であり、チャンネル番号や変調方式、カードインターバル等、送信するネットワークに関する情報が含まれる。このデータは、放送事業者による放送が休止状態のときであっても放送波によって搬送されているデータある。物理チャンネル記録領域６０ｅは、物理チャンネルを記録する領域である。放送休止フラグ領域６１は、受信状況等から放送が休止していると判断する場合にフラグを立てる（ＯＮ：０→１にする。）領域である。同様に圏外フラグ領域６２は、受信状況等から放送電波の圏外であると判断する場合にフラグを立てる領域である。
【００２２】
図１に戻り、入力部５は、ダイヤルキーやファンクションキー等の各種の操作入力キーから構成されるユーザインターフェースであり。ＲＡＭ３上には、夫々のキーの押下により送信される指示信号に対応するコマンドを示したテーブルが予め展開され、制御部１はこのテーブルを参照しながらユーザからの指示を理解し実行するようになっている。テレビジョン放送の受信設定やＥＰＧの取得操作等も入力部５を介して行う。
【００２３】
テレビチューナモジュール２０は、テレビ用アンテナ２４で受信した電波からテレビジョン放送用地上波を抽出する機能部であり、チューナ２１、ＯＦＤＭ（Orthogonal Frequency Division Multiplexing）復調回路２２及び劣化判定部２３を備える。チューナ２１は、テレビ用アンテナ２４で受信した電波からＯＦＤＭ変調されている所定周波数帯のテレビジョン放送用地上波（搬送波）を抽出してＯＦＤＭ復調回路２２に送信する。ＯＦＤＭ復調回路２２は、供給された搬送波の復調を行い電子データとして映像信号処理部３０に送信する。また、テレビジョン放送用地上波には、予めテレビジョン放送を行う放送事業者によってＰＡＴ（Program Association Table:番組配列表）とＰＭＴ（Program Map Table：番組対応表）等の番組とその周波数帯との関係を規定するデータが含まれている。これらのデータに基づいて制御部１は、テレビチューナモジュール２０及び映像信号処理部３０の制御を行う用になっている。
【００２４】
映像信号処理部３０は、テレビチューナモジュール２０から供給されたＭＰＥＧ２−ＴＳ形式に符号化された電子データの複合を行い表示部２５に供給する機能部であり、ＴＳデコーダ３１及びグラフィックデコーダ３２を備える。ＴＳデコーダ３１は、ＯＦＤＭ復調回路２２から送信された電子データをトランスポートストリーム構成の圧縮された符号化デジタル情報としてグラフィックデコーダ３２に送信する。グラフィックデコーダ３２は、この符号化されたデジタル情報を復調することで映像／音声／文字データを取得する。その後、これらデータは、制御部１の指示により、表示部２５及び音声出力部４０に夫々供給される。
【００２５】
劣化判定部２３は、受信の劣化を診断する劣化判定処理を行う機能部である。劣化判定部２３は、チューナ２１からの情報としてＢＥＲ(Bit Error rate)を取得し、このＢＥＲ値に基づいて受信の劣化度合いを判定して制御部１に出力する。詳細には一定時間内に数回にわたってＢＥＲ値を取得し、当該時間内に劣化していると判断した回数をカウントする。この回数が所定の回数を超えた場合、自動的に記憶されているチャンネルリストについて選局を順次行うようになっている。
【００２６】
図３に、示すフロー図を用いて、劣化判定処理について説明する。なお、以下の処理はプログラムの指示に従い、制御部１の指示に基づいて処理が実行される。
先ず、ステップＳ１０２で、制御部１は、受信感度の取得タイミングであるか否かを判断する。制御部１は、受信タイミングであると判断する場合、ステップＳ１０３に進む（ステップＳ１０２：ＹＥＳ）。逆に、制御部１は、受信感度の取得タイミングでないと判断する場合、本フローを抜ける。
【００２７】
ステップＳ１０３で、制御部１は、図示しないタイマにより計時を開始する。
ステップＳ１０４で、制御部１は、現在受信しているチャンネルで劣化を検出するか否かを判断する。即ち、制御部１は、チューナ２１からデジタル放送電波のエラーを検出するか否の判断を行う。制御部１は、エラーを検出したと判断する場合、ステップＳ１０５に進む（ステップＳ１０４：ＹＥＳ）。逆に、制御部１は、エラーを検出しないと判断する場合、ステップＳ１０８に進む（ステップＳ１０４：ＮＯ）。ステップＳ１０８で、制御部１はステップＳ１０３で計時を開始した時間を監視し、所定の時間が経過したか否かを判断する。制御部１は、所定時間が経過したと判断する場合、ステップＳ１０９に進む（ステップＳ１０８：ＹＥＳ）。逆に、所定時間を経過していないと判断する場合、ステップＳ１０４に戻り、再度エラー信号の検出を監視する（ステップＳ１０８：ＮＯ）。
【００２８】
ステップＳ１０５で、制御部１は、ステップＳ１０４でのエラー信号の検出を劣化回数としてカウンタ（不図示）でカウントする。その後、ステップＳ１０６で、制御部１はステップＳ１０３で計時を開始した時間を監視し、所定時間が経過したか否かを判断する。所定時間が経過したと判断する場合、ステップＳ１０７（ステップＳ１０６：ＹＥＳ）に進む。逆に、未だ所定時間内であると判断する場合、制御部１はステップＳ１０４に戻る（ステップＳ１０６：ＮＯ）。
【００２９】
ステップＳ１０７で、制御部１は、ステップＳ１０４でカウントしたエラー信号の回数が予め設定した所定の回数を超えるか否かの判断を行う。制御部１は、ステップＳ１０５でカウントした劣化回数が所定の回数を超えると判断する場合、後述するステップＳ２０１に進む（ステップＳ１０７：ＹＥＳ）。制御部１は、劣化回数が所定の回数を超えないと判断する場合、ステップＳ１０９に進む。
ステップＳ１０９で、制御部１は、ステップＳ１０３で計時を開始したタイマ及びステップＳ１０５でカウントを行った劣化回数のリセットを行い、劣化判定処理を実行する前の状態に復帰する。即ち、制御部１は受信感度は良好であると判断する。
【００３０】
なお、劣化判定部２３では、ＢＥＲのみに依存して受信の劣化を判定する構成に限定されず、パケットデータ単位での受信エラー率であるＰＥＲ（Packet Error Rate）、受信信号の強度を示すＲＳＳＩ(Received Signal Strength Indicator)又は搬送波と雑音の比であるＣ/Ｎ比（Carrier to Noise Ratio）に基づいて判定を行う構成としてもよい。
【００３１】
映像信号処理部３０は、テレビチューナモジュール２０から供給されたＭＰＥＧ２−ＴＳ方式に符号化された電子データの復号を行い、表示部２５に供給する機能部であり。ＴＳデコーダ３１及びグラフィックデコーダ３２を備える。ＴＳデコーダ３１は、ＯＦＤＭ復調回路２２から送信された電子データをトランスポートストリーム構成の圧縮された符号化デジタル情報としてグラフィックデコーダ３２に送信する。グラフィックデコーダ３２は、この符号化されたデジタル情報を復調することで映像／音声／文字データを取得する。その後、これらデータは、制御部１の指示により、表示部２５及び音声出力部４０に夫々供給される。
【００３２】
表示部２５は、映像信号処理部３０から供給された映像データに基づいてテレビション映像の表示を行う機能部であり、ＴＦＴ（Thin Film Transistor）や有機ＥＬ（Electro‐Luminescence）素子から構成される小型ＦＰＤ（Flat Panel Display）等から構成される。テレビジョン放送受像機能を含めた各種の機能を実行する場合の種々の画像及び映像を表示するようになっている。
【００３３】
音声出力部４０は、テレビジョン放送受像機能の実行時にテレビチューナモジュール２０から供給されるテレビジョン放送用音声データや、通信／通話機能の実行時に制御部１からの指示に基づいて着信音を出力する機能部であり、音源ＬＳＩ４１及びＡＭＰ４２を備える。音源ＬＳＩ４１は、上述の種々の音声データに基づいてアナログの音声データを生成し、ＡＭＰ４２に出力する。ＡＭＰ４２で増幅されたアナログの音声信号は、スピーカ４３Ｌ及び４３Ｒを介して音声として出力される。
【００３４】
通信制御部６は、制御部１の指示に従って通話／通信機能を司る機能部であり、通信データ処理部１３及びオーディオインターフェース１４を備える。通信データ処理部１３は、受信時には、アンテナ１０を介して無線部７が受信した受信データのデコード処理を行い、送信時には無線部７から送信する送信データのエンコードを行う。より詳細にはＣＥＬＰ（Code−Excited Linear Prediction）系ボコーダ及び音声複合処理回路、パケットデータ生成回路等を有して構成される。オーディオインターフェース１４は、通信データ処理部１３でデコードされた受信データに含まれる受話データに基づいた音声を受話部９から音声出力させたり、送話部８から入力されたユーザの音声をデジタル信号の送話データに変換したりする。
【００３５】
また、上述のＥＰＧデータ１１の説明でも触れたが、携帯電話機１００は、インターネット等のネットワーク環境との通信を可能とする通信プログラム（Ｗｅｂブラウザ等）を有し、このプログラムに基づいたネットワーク通信機能により、ネットワーク上に存在するサーバマシンからＥＰＧのダウンロードを可能とする。表示部２５には、ダウンロードしたＥＰＧの一覧が表示され、ユーザは入力部５を介して視聴を所望する番組を予約することができるようになっている。
【００３６】
次に、携帯電話機１００で行われる処理について図４及び図５に示すフロー図を用いて説明する。なお、以下の処理はプログラムの指示に従い制御部１により行われるものである。
【００３７】
ステップＳ１０１で、制御部１は、上述した「劣化判定処理」（図３参照）によりテレビジョン放送の受信状態について判定を行う。制御部１は、この「劣化判定処理」で所定時間カウントした劣化回数が所定の回数を超えると判断した場合（図３のステップＳ１０７：ＹＥＳ）、ステップＳ２０１に進む。
【００３８】
ステップＳ２０１で、制御部１は、チャンネルリスト１２の物理チャンネル記録領域６０ｅを読み出す。
次いで、ステップＳ２０２で、制御部１は、チャンネルリストに記録されている物理チャンネルが現在受信しているチャンネル以外にあるか否かの判断を行う。制御部１は、物理チャンネル記録領域６０ｅに他の物理チャンネルが記録されていないと判断する場合、ステップＳ２０９に進む（ステップＳ２０２：ＮＯ）。ステップＳ２０９で、制御部１は、現在携帯電話機１００が位置している場所はテレビション放送圏外であると判断し、チャンネルリスト１２の圏外フラグ領域６２にフラグを立て、チャンネルリストを更新する。即ち、チャンネルリスト１２上に記録されている物理チャンネルは現在テレビジョン放送を受信している物理チャンネル以外に無く且つその物理チャンネルの受信状態が上記ステップＳ１０１の「劣化判定処理」によって劣化状態にあると判定されていることから、携帯電話機１００がテレビジョン放送の受信圏外に位置していると判断することができる。
逆に、制御部１は他の物理チャンネルが記録されていると判断する場合、ステップＳ２０３に進む。
【００３９】
ステップＳ２０３で、制御部１は、映像及び音声の出力を停止する。即ち、制御部１は物理チャンネル記録領域６０ｅに記録されている他の全ての物理チャンネルについて受信状態の検出処理の実行を開始する。
【００４０】
ステップＳ２０４で、制御部１は、物理チャンネル記録領域６０ｅに記録されている他の物理チャンネルから１つの物理チャンネルの周波数をチャンネルリスト１２から読み出し、チューナ２１に出力し設定する。
【００４１】
ステップＳ２０５で制御部１は、当該周波数に同期する放送電波があるか否かの判断を行う。詳細には、ステップＳ２０４で設定した周波数に所定時間以上ロックする信号がチューナ２１で検出できるか否かの検出を行う。制御部１はキャリアロック（即ち同期する放送電波を一定時間受信：同期確立）すると判断する場合、ステップＳ２０６に進む（ステップＳ２０５：ＹＥＳ）。
逆に、制御部１は、キャリアロックしないと判断する場合、ステップＳ２０９に進む（ステップＳ２０５：ＮＯ）。ステップＳ２０９で、制御部１は、現在携帯電話機１００が位置している場所はテレビション放送圏外であると判断し、チャンネルリスト１２の圏外フラグ領域６２にフラグを立て、チャンネルリストを更新する。その後、ステップＳ２１０に進む。
【００４２】
ステップＳ２０６で、制御部１は、キャリアロックすることのできた周波数のテレビジョン放送電波から、ＮＩＴ及び／又はＰＭＴを検出することができるか否か即ち当該周波数帯の放送事業者が放送を行っているか否かの判断を行う。
制御部１は、ＮＩＴ及び／又はＰＭＴを検出することができる即ち放送を行っていると判断する場合、ステップＳ２０７に進む（ステップＳ２０６：ＹＥＳ）。
逆に、ＮＩＴ及び／又はＰＭＴを検出することができない即ち当該周波数帯の放送事業者が放送を行っていないと判断する場合、ステップＳ２０８に進む（ステップＳ２０６：ＮＯ）。
【００４３】
ステップＳ２０８で、制御部１は、チャンネルリスト１２の放送休止フラグ領域６１の該当する領域にフラグを立て、チャンネルリストの更新を行う。その後、ステップＳ２１０に進む。
【００４４】
ステップＳ２０７で、制御部１は、取得したＮＩＴ及び／又はＰＭＴの情報を抽出し、今回の物理チャンネル及びＮＩＴと、チャンネル及び放送事業者名とを対応付けてチャンネルリスト１２に記録（更新）する。
【００４５】
ステップＳ２１０で、制御部１は、チャンネルリスト１２の物理チャンネル記録領域６０ｅを参照し、同期確立の有無を判別していない物理チャンネルがまだあるか否かの判断を行う。制御部１は、有りと判断する場合、ステップＳ２０４に戻る（ステップＳ２１０：ＹＥＳ）。即ち、未だ同期確立の有無等を判断していない物理チャンネルについて確認を行うためである。
逆に、制御部１は、無しと判断する場合、ステップＳ２１１に進む（ステップＳ２１０：ＮＯ）。
【００４６】
ステップＳ２１１で、制御部１は、ステップＳ１０１の「劣化判定処理」を行った物理チャンネルの周波数をチューナ２１に設定し、当該物理チャンネルが受信可能（選局可能）であるか否かを判断する。具他的には、劣化判定部２３でのＢＥＲ等に基づいて判断を行う。即ち、受信状態の検出処理を開始する前の状態に復帰できるか否かを判断するためである。制御部１は、ステップＳ１０１の物理チャンネルの受信ができると判断する場合、ステップＳ２１２に進み（ステップＳ２１１：ＹＥＳ）、映像信号処理部３０に、当該「劣化判定処理」を行った物理チャンネルのデータを供給させ、表示部２５での映像表示及び音声出力部４０での音声出力を再開する復帰処理を行う。
逆に、受信状態の検出処理を開始する前の状態に復帰できないと判断する場合、ステップＳ２１３に進む（ステップＳ２１３：ＮＯ）。
【００４７】
ステップＳ２１３で、制御部１は、チャンネルリスト１２を参照し、ステップＳ１０１で劣化判定処理を行った最初の物理チャンネルの放送休止フラグ領域６１及び圏外フラグ領域６２のいずれにフラグが立っているかの判断を行う。放送休止フラグ領域６１にフラグが立っている場合、ステップＳ２１４に進む（ステップＳ２１３：「放送休止」）。逆に、圏外フラグ領域６２にフラグが立っていると判断する場合、ステップＳ２１６に進む（ステップＳ２１３：「圏外」）。
【００４８】
ステップＳ２１４で、制御部１は、チャンネルリスト１２上で他の物理チャンネルの放送休止フラグ領域６１及び圏外フラグ領域６２のフラグ情報を取得する。次いで、ステップＳ２１５で、制御部１は、ＲＯＭ２及び／又はフラッシュメモリ４に記憶されている案内画像データを読み出し、表示部２５上に、図６（ｂ）に示すように、圏外である旨の案内画面及びチャンネルリスト１２に登録されている全ての物理チャンネルに関する受信状態を案内する画面を表示する。
【００４９】
一方、ステップＳ２１６では、制御部１は、制御部１は、チャンネルリスト１２上で他の物理チャンネルの放送休止フラグ領域６１及び圏外フラグ領域６２のフラグ情報を取得する。次いで、ステップＳ２１７で、制御部１は、ＲＯＭ２及び／又はフラッシュメモリ４に記憶されている案内画像データを読み出し、表示部２５上に、図６（ａ）に示すように、圏外である旨の案内画面及びチャンネルリスト１２に登録されている全ての物理チャンネルに関する受信状態を案内する画面を表示する。
【００５０】
ステップＳ２１８で、制御部１は、チャンネルリスト１２を参照し、受信可能（選局可能）な物理チャンネルが有るか否かの判断を行う。即ち、放送休止フラグ領域６１及び圏外フラグ領域６２のいずれにもフラグが設定されていない物理チャンネルが有るか否かの判断を行う。制御部１は、有ると判断する場合、ステップＳ２１９に進む（ステップＳ２１８：ＹＥＳ）。逆に、制御部１は無いと判断する場合、本フローを抜けて処理を終了する（ステップＳ２１８：ＮＯ）。
【００５１】
ステップＳ２１９で、制御部１は、フラッシュメモリ４に格納されているＥＰＧデータ１１を参照し、ステップＳ２１８で有ると判断した受信可能（選局可能）な物理チャンネルに対応する番組情報を取得する。即ち、ステップＳ２０７（図４参照）で対応付けを更新した物理チャンネルである。
その後、ステップＳ２２０で、制御部１は、図７に示す如く、表示部２５上にこの番組情報を更に表示する処理を行う。
【００５２】
以上のように、携帯電話機１００によれば、劣化判定部２３により放送波の受信中に放送波の受信の劣化を判断し、この判断が放送波の劣化を判断すると、チャンネルリストにある他の物理チャンネルについての受信状態を判断して表示部２５に受信状態を表示するため、ユーザは正常に受信できる（物理）チャンネルを即座に知ることができる。視聴中のチャンネルの受信状況が悪化しても、ユーザは、チャンネル切換えスイッチ等を繰返し操作して好適に映像を表示するチャンネルをサーチすることなく、正常に受信されているチャンネルを簡便に知ることができる。また、視聴中のチャンネル以外の放送受信状態を表示することで、映像の乱れ等が放送受信装置の故障等でないことを即座に知ることができ不安を、和らげることができる。
【００５３】
また、ＥＰＧデータ１１から正常に受信しているチャンネルの番組内容を抽出し、表示部２５に番組の内容を表示するため、ユーザの嗜好にそって正常に映像を表示するチャンネルを直感的に知ることができる。
【図面の簡単な説明】
【００５４】
【図１】携帯電話機１００の機能的構成を示したブロック図である。
【図２】携帯電話機１００のチャンネルリストの例を示した模式図である。
【図３】携帯電話機１００で行われる劣化検出処理の手順を示したフロー図である。
【図４】携帯電話機１００で行われるチャンネルリストに登録されている物理チャンネルの受信状態を判断する処理の手順を示したフロー図である。
【図５】携帯電話機１００で行われるチャンネルリストに登録されている物理チャンネルの受信状態を判断する処理の手順を示したフロー図である。
【図６】表示部に表示する受信状態の案内画面の例を示した模式図である。
【図７】表示部に表示する受信状態の案内画面及び電子番組表を表示した例を示した模式図である。
【符号の説明】
【００５５】
１  制御部
２  ＲＯＭ
３  ＲＡＭ
４  フラッシュメモリ
５  入力部
６  通信制御部
７  無線部
８  送話部
９  受話部
１０  アンテナ
１１  ＥＰＧデータ
１２  チャンネルリスト
２０  テレビチューナモジュール
２１  チューナ
２２  ＯＦＤＭ復調回路
２３  劣化判定部
３０  映像信号処理部
３１  ＴＳデコーダ
３２  グラフィックデコーダ
４０  音声出力部
４１  音源ＬＳＩ
４２  ＡＭＰ
４３Ｌ、４３Ｒ  スピーカ
４５  充電池
５０  アドレス・データバス処理部
５１  バス
６０ａ  リモコンＩＤ記録領域
６０ｂ  チャンネル記録領域
６０ｃ  放送事業者名記録領域
６０ｄ  ネットワークＩＤ記録領域
６０ｅ  物理チャンネル記録領域
６１  放送休止フラグ領域
６２  圏外フラグ領域
１００  携帯電話機
【図１】
2007266727.tif 000003
【図２】
2007266727.tif 000004
【図３】
2007266727.tif 000005
【図４】
2007266727.tif 000006
【図５】
2007266727.tif 000007
【図６】
2007266727.tif 000008
【図７】
2007266727.tif 000009